(57)【要約】 【課題】  被清掃面を擦るだけで被清掃面に付着している大量のダスト類を極めて簡単に、且つ、有効に拭き取って清掃できると共に、上記被清掃面に付着している大量のダスト類を、効率良く而も衛生的に拭き取って清掃できるように工夫した清掃用シートと、このシートを用いた清掃具を提供する。 【解決手段】  基部シート１の面に、山部２Ａの列と谷部２Ｂの列が交互に繰り返し形成された拭き取りシート２を接合するか、又は、断面略Ｌ字状に形成した多数の拭き取り片３Ｔ…を並べて接合することにより、清掃用シートＡＴ又はＡＳを構成する。この清掃用シートＡＴ又はＡＳを、清掃具本体１１の底面部に装着して使用する。 【選択図】      図３
2009285001.tif 000002
【特許請求の範囲】
【請求項１】
基部シートの面に拭き取りシートを重ねて接合した二重シート構造に構成され、この拭き取りシートの拭き取り面にて被清掃面を擦ることによって清掃するように構成した清掃用シートであって、 
上記拭き取りシートの拭き取り面が、山部の列と谷部の列が互いに平行に、且つ、交互に繰り返されて構成されていて、上記各谷部の底面が夫々上記基部シートの面に接合して構成されていることを特徴とする清掃用シート。 
【請求項２】
基部シートの面に拭き取りシートを重ねて接合した二重シート構造に構成され、この拭き取りシートの拭き取り面にて被清掃面を擦ることによって清掃するように構成した清掃用シートであって、 
前記基部シートの面に、山部と接合部とから成る断面略Ｌ字型に形成した多数の拭き取り片を並べて接合することにより、山部の列と谷部の列が交互に繰り返す上記拭き取りシートが一体に構成されていることを特徴とする清掃用シート。 
【請求項３】
前記拭き取りシートの各山部の高さが、隣接する山部とのピッチ間隔と同等、若しくは、それ以下に構成されていることを特徴とする請求項１又は２に記載の清掃用シート。 
【請求項４】
テーブル面や床面、或いは、パンチカーペットの面といった各種被清掃面に付着しているダスト類を、清掃具本体の底面部に装着した清掃用シートで擦ることによって清掃することができる清掃具であって、 
上記清掃用シートが、基部シートの面に拭き取りシートを重ねて接合した二重シート構造に構成され、この拭き取りシートの拭き取り面が、山部の列と谷部の列が互いに平行に、且つ、交互に繰り返されて構成されると共に、上記各谷部の底面が上記基部シートの面に接合して構成されていて、 
上記二重シート構造の清掃用シートが、上記拭き取りシートの拭き取り面を下方に向けた状態で前記清掃具本体の底面部に装着されていることを特徴とする清掃具。 
【請求項５】
テーブル面や床面、或いは、パンチカーペットの面といった各種被清掃面に付着しているダスト類を、清掃具本体の底面部に装着した清掃用シートで擦ることによって清掃することができる清掃具であって、 
上記清掃用シートが、基部シートの面に、断面略Ｌ字型に形成した多数の拭き取り片を並べて接合することにより、山部の列と谷部の列が互いに平行に、且つ、交互に繰り返されて構成されると共に、上記各谷部の底面が上記基部シートの面に接合して構成されていることを特徴とする清掃具。 
【請求項６】
前記清掃具本体の底面部に、所定のトルクを加えると回転するローラを設け、このローラに前記二重シート構造の清掃用シートを掛け渡して、上記ローラの回転操作に従って前記清掃用シートを順送り可能に構成したことを特徴とする請求項４又は５に記載の清掃具。 
【請求項７】
前記清掃具本体の底部で、且つ、当該清掃具本体の進行方向の後部に、左右一対の車輪を取り付けて、この車輪の回転をワンウエイクラッチと所定の減速比を有する減速装置を介して前記ローラに伝達することにより、上記車輪の回転に従って当該ローラに掛渡した前記清掃用シートが順次一方に送り移動されることを特徴とする請求項４又は５に記載の清掃具。 
【請求項８】
前記清掃具本体に、モータを動力源とする吸引部と、この吸引部に接続した吸引ホースと、この吸引ホースが吸引した前記清掃用シートに付着していたダストを収集するダストバッグとから成る集塵装置を設けたことを特徴とする請求項４、５、６又は７に記載の清掃具。 
【発明の詳細な説明】
【技術分野】
【０００１】
本発明は、テーブル面や床面、或いは、パンチカーペットの面等に付着しているゴミや埃といったダスト類を擦ることによって清掃することができる清掃用シートと、この清掃用シートを用いた清掃具に関するものである。 
【背景技術】
【０００２】
ダスト類を擦ることによって清掃する清掃用シートに関しては、例えば特許文献１に記載された「使い捨てダストクロス」のように、捲縮長繊維を相互に結合して成るものが存在し、また、上記ダスト類をクロスを用いて擦って清掃する清掃具に関しては、例えば特許文献２に記載された「カーペット掃除器」に見られるように、プリズム状中空体（三角柱）の三箇所の面にクロスブラシを貼着したものが存在する。 
【特許文献１】特開平２−１９１４２２号公報
【特許文献２】実開平５−９１５４７号公報
【発明の開示】
【発明が解決しようとする課題】
【０００３】
ところが、上記特許文献１に記載の「使い捨てダストクロス」は、通常使用されている清掃用シートであって、清掃面の広さが限られていて、直ぐにゴミや埃といったダスト類が面一杯に付着してしまって、長い時間使用できない問題があった。 
【０００４】
また、上記特許文献２に記載の「カーペット掃除器」は、清掃面を三箇所の面（プリズム状の三角柱）に構成した掃除器であるため、一面の使用後に次の面に回転操作した時に、使用済面に付着したダストが直接露出して汚らしく、また、次の面に回転して清掃に使用するための操作が面倒で、簡単に利用できない問題があった。 
【０００５】
従って本発明の技術的課題は、被清掃面を擦るだけで被清掃面に付着している大量のダスト類を極めて簡単に、且つ、有効に拭き取って清掃できると共に、上記被清掃面に付着している大量のダスト類を、効率良く而も衛生的に拭き取って清掃できるように工夫した清掃用シートと、このシートを用いた清掃具を提供することである。 
【課題を解決するための手段】
【０００６】
（１）  上記の技術的課題を解決するために、本発明の請求項１に係る清掃用シートは、基部シートの面に拭き取りシートを重ねて接合した二重シート構造に構成され、この拭き取りシートの拭き取り面にて被清掃面を擦ることによって清掃するように構成した清掃用シートであって、上記拭き取りシートの拭き取り面が、山部の列と谷部の列が互いに平行に、且つ、交互に繰り返されて構成されていて、上記各谷部の底面が夫々上記基部シートの面に接合して構成されていることを特徴としている。 
【０００７】
（２）  また、本発明の請求項２に係る清掃用シートは、基部シートの面に拭き取りシートを重ねて接合した二重シート構造に構成され、この拭き取りシートの拭き取り面にて被清掃面を擦ることによって清掃するように構成した清掃用シートであって、前記基部シートの面に、山部と接合部とから成る断面略Ｌ字型に形成した多数の拭き取り片を並べて接合することにより、山部の列と谷部の列が交互に繰り返す上記拭き取りシートが一体に構成されていることを特徴としている。 
【０００８】
（３）  更に、本発明の請求項３に係る清掃用シートは、前記拭き取りシートの各山部の高さが、隣接する山部とのピッチ間隔と同等、若しくは、それ以下に構成されていることを特徴としている。 
【０００９】
（４）  次に、本発明の請求項４に係る清掃具は、テーブル面や床面、或いは、パンチカーペットの面といった各種被清掃面に付着しているダスト類を、清掃具本体の底面部に装着した清掃用シートで擦ることによって清掃することができる清掃具であって、上記清掃用シートが、基部シートの面に拭き取りシートを重ねて接合した二重シート構造に構成され、この拭き取りシートの拭き取り面が、山部の列と谷部の列が互いに平行に、且つ、交互に繰り返されて構成されると共に、上記各谷部の底面が上記基部シートの面に接合して構成されていて、上記二重シート構造の清掃用シートが、上記拭き取りシートの拭き取り面を下方に向けた状態で前記清掃具本体の底面部に装着されていることを特徴としている。 
【００１０】
（５）  また、本発明の請求項５に係る清掃具は、テーブル面や床面、或いは、パンチカーペットの面といった各種被清掃面に付着しているダスト類を、清掃具本体の底面部に装着した清掃用シートで擦ることによって清掃することができる清掃具であって、上記清掃用シートが、基部シートの面に、断面略Ｌ字型に形成した多数の拭き取り片を並べて接合することにより、山部の列と谷部の列が互いに平行に、且つ、交互に繰り返されて構成されると共に、上記各谷部の底面が上記基部シートの面に接合して構成されていることを特徴としている。 
【００１１】
（６）  また、本発明の請求項６に係る清掃具は、前記清掃具本体の底面部に、所定のトルクを加えると回転するローラを設け、このローラに前記二重シート構造の清掃用シートを掛け渡して、上記ローラの回転操作に従って前記清掃用シートを順送り可能に構成したことを特徴としている。 
【００１２】
（７）  また、本発明の請求項７に係る清掃具は、前記清掃具本体の底部で、且つ、当該清掃具本体の進行方向の後部に、左右一対の車輪を取り付けて、この車輪の回転をワンウエイクラッチと所定の減速比を有する減速装置を介して前記ローラに伝達することにより、上記車輪の回転に従って当該ローラに掛渡した前記清掃用シートが順次一方に送り移動されることを特徴としている。 
【００１３】
（８）  また、本発明の請求項８に係る清掃具は、前記清掃具本体に、モータを動力源とする吸引部と、この吸引部に接続した吸引ホースと、この吸引ホースが吸引した前記清掃用シートに付着していたダストを収集するダストバッグとから成る集塵装置を設けたことを特徴としている。 
【００１４】
上記（１）で述べた請求項１に係る清掃用シートによれば、テーブル面や床面、或いは、パンチカーペットの面といった各種被清掃面を、拭き取りシートの拭き取り面で擦ると、被清掃面上に散乱しているダストに対して山部の面が滑るように擦ることになるため、山部の列が倒れて山部の一側面にダストが付着する。次いで逆方向に擦ると、山部の他の側面にダストが付着するので、清掃面を広く使うことが出来、更には付着したダストの除去回数が減って作業の能率化が計れる。 
【００１５】
上記（２）で述べた請求項２に係る清掃用シートによれば、一枚の基部シート上に、山の形状を成す山部の列が多数並設されるので、清掃時には各山部の左右両側面を有効に使用して、多くのダストを効果的に拭き取ることができる。 
【００１６】
上記（３）で述べた請求項３に係る清掃用シートによれば、清掃用シートにおける拭き取りシートの各山部を倒して清掃した場合に、倒れた山部の側面が隣接する側部の側面と重ならないので、拭き取りシートに設けた各山部の面を有効に使用して、多くのダストを拭き取ることができる。 
【００１７】
上記（４）と（５）で述べた請求項４及び５に係る清掃具によれば、底面部に装着した清掃用シートの拭き取り面を被清掃面に押接して、拭き取り面で被清掃面を擦るようにして清掃具本体を一方向又は往復方向に移動させることにより、前述の如く清掃用シートの底面に多数並設された上記山部の側面で被清掃面のダストを拭き取ることを可能にする。 
【００１８】
上記（６）で述べた請求項６に係る清掃具によれば、前記拭き取りシートの拭き取り面にダストがある程度付着したら、ローラを回転操作して清掃用シートを送り作動することにより、拭き取りシートの上記拭き取り面を順送して、ダストが付着していない新たな拭き取り面を用いて、被清掃面をきれいに清掃することができる。 
【００１９】
上記（７）で述べた請求項７に係る清掃具によれば、車輪を用いて清掃具本体を移動（走行）させると、ワンウエイクラッチ及び減速装置を介してローラが一方向に減速回転し、このローラの回転に従って清掃用シートも一方向に減速回転するため、清掃用シートの新しい面、即ち、拭き取りシートの新しい拭き取り面にて被清掃面を擦って、被清掃面のダストや汚れをきれいに清掃することを可能にする。 
【００２０】
上記（８）で述べた請求項８に係る清掃具によれば、清掃用シートの拭き取りシートに付着したダストを、吸引部が吸引ホースを介してダストボックスに収集できるため、拭き取りシートの拭き取り面に付着したダストの堆積を防止して、常に安定したダスト拭き取り効果を発揮できると共に、ダストを手で拭き取り面から取り除く必要がないため、清掃作業を衛生的に進めることを可能にする。 
【発明の効果】
【００２１】
以上述べた次第で、本発明に係る清掃用シート及び清掃具によれば、テーブル面や床面、或いは、パンチカーペット等の被清掃面に付着或いは堆積しているダストを、清掃シートの拭き取り面で擦ることによって、ダストを周囲に飛散させたり、作業者の手や衣服等を汚すことなくきれいに、而も、衛生的に収集できるものであって、構造が比較的簡単で手軽に使用できる点と相俟って、特に、被清掃面を簡易的に清掃する場合に用いて、頗る好適なものである。 
【発明を実施するための最良の形態】
【００２２】
以下に、上述した本発明に係る清掃用シート及び清掃具の実施例を図面と共に説明すると、図１において符号ＡＴで全体的に示したのは、前記請求項１に記載した本発明に係る清掃用シートの一例を示した斜視図、図２は前記請求項２に記載した本発明に係る清掃用シートＡＳの実施例の一部を拡大して示した側面図であって、図１に於いて、１は基部シート、２は基部シート１の面に接着した第２のシートとしての拭き取りシートを示す。 
【００２３】
拭き取りシート２は、１枚のシートを繰り返し屈曲することによって、図示の如く山の列２Ａと谷の列２Ｂが平行に、且つ、交互に多数並設された略波板形状に形成されていて、この拭き取りシート２の各谷の列２Ｂ…の底面を、上記基部シート１の上面に接合（接着）することによって、清掃用シートＡＴが構成される。 
【００２４】
上記基部シート１及び、第２のシートとしての拭き取りシート２の素材は、例えば帯電性を擁して静電気による付着性を備えたものや、繊維がねじれたものや、繊維間にダストが付着しやすいように多数の孔のあいたもの等が使用されるが、不織布や紙の繊維で布状に構成されたものであっても良い。 
【００２５】
また、この清掃用シートＡＴを専用の（逆）Ｔの字型清掃具に取り付けて使用しても良いし、後述の清掃具に装着して、プラスチック、木、石製の床面を清掃する場合に使用しても最適で、毛の短いパンチカーペットの清掃にも使用できる。 
【００２６】
次に、他の清掃用シートＡＳを示した図２において、３Ｔ…は基部シート１の面に何列にも亘って多数並べて接合（接着）した断面略Ｌ字形状の拭き取り片であって、これ等多数の拭き取り片３Ｔ…によって山の列と谷の列が平行に、且つ、交互に多数並設された第２のシートとしての拭き取りシート３が構成される。各拭き取り片３Ｔ…は、図示の如く上方に突出する山部３Ａと、底板となる底部３Ｂとによって構成されていて、各底部３Ｂの底面を基部シート１に接合（接着）することによって、清掃用シートＡＳが構成される。 
【００２７】
上記拭き取りシート３を構成する各拭き取り片３Ｔの山部３Ａの高さ（Ｈ）は、山部３Ａ，３Ａ間のピッチ（Ｌ）と同等、若しくは、それ以下、即ち、Ｈ≦Ｌに形成されている。そして、各山部３Ａの高さ（Ｈ）は約１０ｍｍ前後が好適な値であり、その厚さ（Ｔ）は２ｍｍ前後が好適であって、素材としては、例えばナイロンやポリエステルといった、腰が強くて倒れても復元力のあるものが好適である。尚、上記の構成は実施の一例であるが、これ等の構成は前述した図１に示す拭き取りシート２にも適用することができる。 
【００２８】
以上の如く構成した清掃用シートＡＴとＡＳは、プラスチック、ガラス、木や石で出来た物品や壁のゴミや埃といったダストを、そのままワイピングクロスとして、手で左右に擦る様にして拭き取ることができる。ゴミや埃等のダストは山の列２Ａの両側面、又は、山部３Ａの列の両側面に付着するので、１枚の清掃用シートＡＴ、ＡＳを有効に使用できるものである。 
【００２９】
図３は、上述した本発明に係る清掃用シートＡＴ又はＡＳを使用する清掃具１０の実施例を示した外観図であって、図中、１１は清掃具本体、１１Ｈは開くと開放した位置に固定できる（図４参照）ように構成した本体上部の上カバー、１２と１３は本体１１の前部と後部に回転自在に取り付けた前ローラと後ローラであって、上記清掃用シートＡＴ又はＡＳは、これを各山の列２Ａ…又は各山部３Ａを外側に向けた状態にして前後のローラ１２，１３間に掛渡して使用される。 
【００３０】
尚、各清掃用シートＡＴ又はＡＳを前後のローラ１２，１３の間に掛渡すに当たっては、清掃用シートＡＴ，ＡＳの各両端部を夫々図１に示したような面ファスナーＦａとＦｂを用いて無端状に接合して掛渡せばよい。 
【００３１】
更に図１において、清掃用シートＡＴの表面側の一側縁に設けられた面ファスナーＦａは、フック側のファスナーであって、当該シートＡＴの裏面側の他側縁には、このフック側の面ファスナーＦａに接合自在なループ側の面ファスナーＦｂが設けられている。また、図示はしていないが前記清掃用シートＡＳの表裏両側縁にも、上記と同じフック側とループ側の各面ファスナーが設けられていて、清掃用シートＡＳを無端状に接合できる仕組みに成っている。前記のローラ１２，１３に対する上記清掃用シートＡＴ又はＡＳの装着と交換は、図４の如く前記上カバー１１Ｈを開き、更に、上記両ファスナーＦａ、Ｆｂを接離することによって行われる。 
【００３２】
更に前述した図３において、１１Ｔは清掃具本体１１の後部カバー、１４は後部カバー１１Ｔの両端内部に配置された移動用の車輪（図面上一方は省略されている）、１５は自在継ぎ手１６を介して上記後部カバー１１Ｔの上面中央部に取り付けたハンドルで、このハンドル１５は角度と長さが調節自在に構成されている。また、２０は後部カバー１１Ｔの上面部にホース止め具２０Ｘを用いて取り付けられた吸引ホース、２０Ｓは後述する吸引ファン用モータのＯＮ／ＯＦＦスイッチ、１１Ｋ，１１Ｋは前記上カバー１１Ｈのヒンジ部である。 
【００３３】
図５、図６、図７は、上述した清掃具本体１１の内部構造を示したもので、具体的には、前記ローラ１２，１３の間に掛け渡した清掃用シートＡＴ又はＡＳを、必要に応じて新しいシート面に順送りするためのシート送り機構を示したものであって、図５はシート送り機構全体の外観を示した斜視図、図６はその要部の平面図、図７は図６のＡ−Ａ線に沿った断面図である。 
【００３４】
上記の各図において、１１Ｌ，１１Ｒは清掃具本体１１内に左右平行に設けたフレームで、これ等両フレーム１１Ｌ，１１Ｒの間の前部と後部に、前述した前後のローラ１２，１３が回転自在に取り付けられている。１２Ａと１３Ａは当該ローラ１２，１３のローラ軸で、前部ローラ１２のローラ軸１２Ａには、前部ローラ１２を手動で回転することができる摘み１７が取り付けられている。更に図中、１２Ｘと１３Ｘは上記各ローラ１２，１３の一端部周面方向に同一ピッチで凹凸を交互に繰り返し形成して成る係止部で、１９Ａ，１９Ｂは左右のフレーム１１Ｌ，１１Ｒの間に設けた補強用の梁材を示す。 
【００３５】
上記ローラ１２，１３に設けた係止部１２Ｘ，１３Ｘは、両ローラ１２，１３の間に掛け渡した清掃用シートＡＴ又はＡＳの内側面に係止して滑り止め効果を発揮すると共に、上記一方の梁材１９Ａに板バネ製の取付部材１８Ｓを介して取り付けたストッパーローラ１８を、上記前部ローラ１２の一端部周面に形成した前記係止部１２Ｘの凹部に弾性的に係合することにより、前部ローラ１２の自由回転を制止して、清掃用シートＡＴ又はＡＳの自由な送りを制止する。 
【００３６】
しかし、作業員等が摘み１７を回転操作して前部ローラ１２を強制的に回転した場合には、前部ローラ１２はストッパーローラ１８による制止を超える力で自由回転して、前記各山の列２Ａ…、又は、山部３Ａ…にダストが付着していない清掃用シートＡＴ又はＡＳのフレッシュな面を、前記清掃具本体１１の底面に位置させることができる。 
【００３７】
尚、図面では前部ローラ１２の係止部１２Ｘだけにストッパーローラ１８を係合させているが、後部ローラ１３の係止部１３Ｘにも同一構成のストッパーローラを係合させて、前後のローラ１２，１３の回転を制御するようにしてもよく、また、反対にストッパーローラ１８を後部ローラ１３の係止部１３Ｘだけに係合させるようにしてもよく、その選択は任意とする。 
【００３８】
また、上記実施例では清掃用シートＡＴ又はＡＳの送り操作を、摘み１７を回転して手動操作で行うことを説明したが、これを図８に示すように前記車輪１４の回転を駆動源にして、この回転力を歯車列１４Ｚを介していずれかのローラ１２又は１３に減速して伝達することによって、清掃具１０の移動（走行）に従って、清掃用シートＡＴ又はＡＳを減速して自動送りすることも考えられる。 
【００３９】
尚、図８において１１Ｚは清掃具１０の後部フレーム、１４Ｒは両端部に車輪１４，１４を取り付けた車軸、１４Ｋは車輪１４が前進回転している時だけ、その回転を前記歯車列１４Ｚに伝達して、清掃用シートＡＴ又はＡＳを送り動作せしめるワンウエイクラッチである。 
【００４０】
図９は、前記清掃具本体１１の後部に設けた集塵装置２１の一実施例を示した斜視図であって、清掃具本体１１の前部には上述した清掃用シートＡＴ又はＡＳと、これを回転するためのブロックが搭載され、清掃具本体１１の後部には、上記集塵装置２１を構成するブロックが搭載されている。 
【００４１】
即ち、集塵装置２１は、ダストバック２２と吸引ファン２３とそのモータ２４とモータ２４のバッテリー２５とから成る吸引部２６と、ダストバック２２の吸塵口２２Ａに取付口２０Ｔを回動自在に接続した前記吸引ホース２０とによって構成されている。 
【００４２】
吸引ホース２０の全体は屈曲自在及び伸縮自在なフレキシブル状に構成されていて、清掃用シートＡＴ又はＡＳにゴミ（ダスト）がある程度溜まったら、本体後方に止め具２０Ｘによって固定されている吸引ホース２０を外し、先端吸引口２０Ｚをゴミが付着している清掃用シートＡＴ又はＡＳの部分に当てて吸引用スイッチ２０ＳをＯＮする。すると内部のモータ２４及びファン２３が回転し、吸引口２０Ｘからゴミや埃を吸い取りダストバック２２に収集する。ダストバック２２は交換式でもダストのみを除去して再利用する方式のものであっても良い。吸引作業は、ダストが付着したらすぐに行っても良く、清掃用シートＡＴ又はＡＳの送りをして拭き取りシート２又は３にダストを付着させたまま清掃作業を継続し、後でまとめて吸引しても良い。 
【００４３】
この図では、駆動源としてバッテリー２５を内蔵したＤＣモータ２４を使用しているが、代わりにＡＣモータを使用し、電源コードを取り付け、ＡＣコンセントのある場所でゴミの吸引除去作業を行っても良く、その選択は任意とする。 
【図面の簡単な説明】
【００４４】
【図１】本発明に係る清掃用シートの一実施例を示した斜視図。
【図２】本発明に係る清掃用シートの他の実施例を示した要部の拡大側面図。
【図３】本発明に係る清掃具の実施例を示した斜視図。
【図４】本発明の実施例に係る清掃具を上カバーを開いて示した斜視図。
【図５】本発明の実施例に係る清掃具の内部構造を説明した斜視図。
【図６】図５に示した内部構造の要部を示した平面図。
【図７】図６のＡ−Ａ線に沿った断面図。
【図８】本発明の実施例に係る清掃具の内部構造を説明した斜視図。
【図９】本発明に係る清掃具に搭載する集塵装置の一例を説明した斜視図。
【符号の説明】
【００４５】
ＡＴ，ＡＳ          清掃用シート 
１                  基部シート 
２，３              拭き取りシート 
２Ａ                山の列 
２Ｂ                谷の列           
Ｆａ，Ｆｂ          ファスナー 
３Ｔ                拭き取り片 
３Ａ                山部 
３Ｂ                底部 
１０                清掃具 
１１                清掃具本体 
１２                前部ローラ 
１３                後部ローラ 
１２Ｘ，１３Ｘ      係止部 
１４                車輪 
１４Ｚ              歯車列（減速装置） 
１４Ｋ              ワンウエイクラッチ 
１８                ストッパローラ 
１８Ｓ              板バネ製の取付部材 
２０                吸引ホース 
２１                集塵装置 
２２                ダストバック 
２３                吸引ファン 
２４                モータ 
２５                バッテリー 
２６                吸引部 
【図１】
2009285001.tif 000003
【図２】
2009285001.tif 000004
【図３】
2009285001.tif 000005
【図４】
2009285001.tif 000006
【図５】
2009285001.tif 000007
【図６】
2009285001.tif 000008
【図７】
2009285001.tif 000009
【図８】
2009285001.tif 000010
【図９】
2009285001.tif 000011